(57)【要約】【課題】本発明は、回転支軸に対してカラーを介在させることなく複数の単位回転体を挿通させるだけの簡単な組み付けで、隣接する単位回転体の整地作用部間に夾雑物が挟まり難い整地用ローラ並びに整地装置を得ることを目的とする。【解決手段】単位回転体に回転支軸に嵌合するボス部とこのボス部に連設して径方向外方に位置する整地作用部とを備え、単位回転体の回転軸芯方向におけるボス部の長さを回転軸芯方向における整地作用部の長さよりも長くしてある整地用ロータ、及びこの整地ローラを回転支軸に複数挿通して、隣接する整地作用部間に夾雑物が挟まらないような隙間を形成してある整地装置。【選択図】図３
2010004749.tif 000002
【特許請求の範囲】
【請求項１】
回転支軸に複数の単位回転体を装着して整地用回転体を構成するための整地用ロータであって、前記単位回転体には前記回転支軸に嵌合するボス部とこのボス部に連設して径方向外方に位置する整地作用部とを備え、前記単位回転体の回転軸芯方向における前記ボス部の長さを回転軸芯方向における前記整地作用部の長さよりも長くしてある整地用ロータ。
【請求項２】
回転支軸に複数の単位回転体を装着してなる整地用回転体を装備した整地装置において、
前記単位回転体には前記回転支軸に嵌合したボス部とこのボス部に連設して径方向外方に位置する整地作用部とを備え、前記回転支軸に隣接する単位回転体をこれのボス部どうしを接当させた状態で装着するとともに、前記ボス部どうしを接当させた装着状態で隣接する整地作用部間に隙間を形成してあることを特徴とする整地装置。
【請求項３】
前記単位回転体が請求項１記載の整地用ロータからなる請求項２記載の整地装置。
【請求項４】
前記整地用回転体の回転方向下手側ほど前記単位回転体どうしの隣接する前記整地作用部間の隙間の幅が広くなるように構成してある請求項２または３記載の整地装置。
【請求項５】
前記整地用回転体の横外側に近接して前記整地用回転体の前方横外方への泥流れを抑制する泥流れ抑制部材を配設してある請求項２〜４のいずれか一項に記載の整地装置。
【発明の詳細な説明】
【技術分野】
【０００１】
本発明は、回転支軸に複数の単位回転体を装着して整地用回転体を構成するための整地用ロータ、並びに回転支軸に複数の単位回転体（整地用ロータ）を装着してなる整地用回転体を配備した整地装置に関する。
【背景技術】
【０００２】
回転支軸に複数の単位回転体（整地用ロータ）を装着してなる整地用回転体を配備した整地装置は、走行機体の後部に連結された苗植付け装置や直播機などの水田作業装置とともに装備して、車輪跡や足跡などを整地用回転体の作用で無くすことで良好な植付けや播種を行うことができるように利用されている（例えば、特許文献１参照）。
【特許文献１】特開２００６−３０４６４７号公報
【発明の開示】
【発明が解決しようとする課題】
【０００３】
特許文献１に記載のものは、機体の左右方向に配置された回転支軸４６に、その左右中央部に左右２個の単位回転体５５をカラー５８を介して挿通するとともに、その左右に複数の単位回転体５５どうしを接当させた状態で回転支軸４６に挿通した代掻き用回転体４０群を配備した整地装置が示されている。特許文献１に示された整地装置は、回転支軸４６に、カラー５８を介して、又は、直接単位回転体５５のボス部５５ｂの端面どうしを接当させた状態で挿通しているので、組付けに際しては回転支軸４６にカラー５８及び複数の単位回転体５５を順次詰めて挿通するだけでよく、組付け作業が簡単に行える利点があった。しかし、特許文献１に示された単位回転体５５は、回転支軸４６に嵌合するボス部５５ｂの長さと整地作用部５５ａの長さとが同じ長さに造られていたため、機体左右中央部に配置された単位回転体５５のように、単位回転体５５と単位回転体５５との間にカラー５８を介在させて隣接する単位回転体間に環状凹部６０の隙間を形成した場合は、当該隙間を通って前方の泥水が草やワラ屑などの浮遊物や解された切り株などとともに後方に通り抜けるが、隣接する単位回転体５５どうしを接当配置した回転体群では、単位回転体５５どうしが隣接する整地作用部５５ａの間には殆ど隙間はなく、泥水がその間を通って後方に移動させることができないのみならず、隣接する整地作用部５５ａ間に夾雑物が挟まりやすく、又、挟まった夾雑物の除去に手間取るという不都合があった。
【０００４】
本発明は、従来構造と同様に隣接する単位回転体のボス部どうしを接当するように、回転支軸に単位回転体を詰めて挿通させて回転体群を構成するようにして隣接する単位回転体間にカラーを介在させることなく簡単に組み付けられるようにしながら、隣接する単位回転体の整地作用部間に夾雑物が挟まらない、又は挟まり難い回転体群とすること、及びこのような回転体群とすることのできる整地用ローラを得ることを目的とする。
【課題を解決するための手段】
【０００５】
第１の発明である整地用ロータの発明は、回転支軸に複数の単位回転体を装着して整地用回転体を構成するための整地用ロータであって、単位回転体には回転支軸に嵌合するボス部とこのボス部に連設して径方向外方に位置する整地作用部とを備え、単位回転体の回転軸芯方向におけるボス部の長さを回転軸芯方向における整地作用部の長さよりも長くしたものである。
【０００６】
第１の発明によれば、単位回転体（整地用ロータ）の回転軸芯方向における整地作用部の長さよりもボス部の長さの方を長くしてあるので、ロータとロータの間にわざわざカラーを介在させなくても、回転支軸に複数の整地用ロータのボス部どうしが接当するように詰めて挿通するだけで、隣接するロータの整地作用部どうしの間に隙間が形成される。このような隙間が形成された整地用回転体を備えた整地装置を機体に装備して整地作業を行うと、前記隙間を通って泥水が後方に移動することができるとともに、従来の整地装置のように、隣接する整地作用部間に夾雑物が詰まるという不都合が軽減ないし解消される。
【０００７】
従って、第１の発明によると、整地装置による泥水の後方への流れが改善されるとともに、隣接する整地作用部間に夾雑物が詰まるという不都合も軽減ないし解消され、作業後の手入れも楽に行えるに至った。
【０００８】
第２の発明である整地装置の発明は、回転支軸に複数の単位回転体を装着してなる整地用回転体を装備した整地装置において、
単位回転体には回転支軸に嵌合したボス部とこのボス部に連設して径方向外方に位置する整地作用部とを備え、回転支軸に隣接する単位回転体をこれのボス部どうしを接当させた状態で装着するとともに、ボス部どうしを接当させた装着状態で隣接する整地作用部間に隙間を形成してあることを特徴とする。
【０００９】
第２の発明によれば、回転支軸に対して、隣接する単位回転体のボス部どうしを接当させた装着状態で隣接する整地作用部間に隙間を形成するようにしてあるので、単位回転体間にカラーを介在させなくても前記隙間を通って泥水が後方に移動することができるとともに、従来の整地装置のように、隣接する整地作用部間に夾雑物が詰まるという不都合が軽減ないし解消される。
【００１０】
従って、第２の発明によると、簡単な構造の改良で、整地装置における隣接する単位回転体の整地作用部間に形成した隙間によって後方に流れる泥水の流れが改善されるとともに、隣接する整地作用部間に夾雑物が詰まるという不都合も軽減ないしは解消できた。そして、作業後の手入れも楽に行えるに至った。
【００１１】
第３の整地装置の発明は、上記第２の整地装置の発明において、単位回転体として請求項１記載の整地用ロータを適用したものである。
【００１２】
第３の発明によれば、単位回転体として回転支軸方向におけるボス部の長さを整地作用部の長さよりも長くした整地用ロータを用いて、整地用ロータのボス部どうしを接当させた装着状態で隣接する整地作用部間に隙間を形成するようにしたので、整地用ロータ間にカラーを介在させなくても前記隙間を通って泥水が後方に移動することができるとともに、従来の整地装置のように、隣接する整地作用部間に夾雑物が詰まるという不都合が軽減ないし解消される。
【００１３】
従って、第３の発明によると、整地装置における隣接するロータの整地作用部間に形成した隙間によって後方に流れる泥水の流れが改善されるとともに、隣接する整地作用部間に夾雑物が詰まるという不都合も軽減ないしは解消され、作業後の手入れも楽に行えるに至った。
【００１４】
第４の発明は、上記第２または３の発明において、整地用回転体の回転方向下手側ほど単位回転体どうしの隣接する整地作用部間の隙間の幅が広くなるように構成してある。
【００１５】
整地用回転体の隣接する整地作用部間の隙間が平行で狭い場合や、回転方向下手側の隙間が狭くなっていると、夾雑物が更なる夾雑物で押し込まれた場合、夾雑物が隙間の間に強く咬み込んでより一層除去し難くなるが、第４の発明によれば、前記隙間の幅が、整地用回転体の回転方向下手側ほど広くなるようにしてあるので、隙間に入った夾雑物が抵抗なく通り抜けることができ、詰まりを生じさせることを極力回避できる利点がある。
【００１６】
第５の発明は、上記第２〜４のいずれかの発明において、整地用回転体の横外側に近接して整地用回転体の前方横外方への泥流れを抑制する泥流れ抑制部材を配設してある。
【００１７】
機体を前進させながら整地作用をしていると、整地用回転体の前方の泥水が横外側に押し流される。整地作用と同時に苗植付け作業や播種作業をする場合、整地用回転体による泥水の横外側への押出す作用が、先に作業をした植付けた苗や播種に対して、苗倒しや種子を浮遊させるといった悪影響を及ぼす欠点があるが、第５の発明によれば、整地用回転体の横外側に近接して整地用回転体の前方の横外方への泥流れを抑制する泥流れ抑制部材を配設してあるので、泥流れ抑制部材によって整地用回転体前方の泥水を横外側に押し流すことを抑制することができ、隣接苗等への悪影響を抑えることができる。又、畦際などで横外方の異物（予備苗箱）等が整地用回転体に巻き込まれて整地用回転体や異物の双方に損傷を与えるという不都合が回避できるカバーにも、泥流れ抑制部材がなりうる利点がある。
【発明を実施するための最良の形態】
【００１８】
図１に施肥装置付き田植機の全体側面が示されている。この田植機は、操向可能な前輪１および操向不能な後輪２を備えて４輪駆動で走行する走行機体３の後部に油圧シリンダ５によって駆動される平行四連リンク構造の昇降リンク機構６が装備され、この昇降リンク機構６の後端下部に６条植え仕様の苗植付け装置４がローリング可能に連結された基本構造を備えている。また、走行機体３の後部に施肥装置７が備えられるとともに、走行機体３の前部左右には予備苗を３枚ずつ収容する予備苗のせ台１３が立設配備されている。
【００１９】
前記走行機体３の前部にはエンジン８が搭載され、その出力が前後進の切り換えが可能な静油圧式無段変速装置（ＨＳＴ）からなる主変速装置９に伝達され、その変速出力がミッションケース１０に入力されて走行系と作業系に分岐される。走行系の動力は図示されない副変速装置でギヤ変速された後、ミッションケース１０に装備された前輪１に伝達されるとともに、後部伝動ケース１１に装備された後輪２に伝達されるようになっている。また、分岐された作業系の動力はミッションケース１０に内装された図示されない株間変速装置で複数段にギヤ変速された後、機体後方に向けて取り出され、伸縮伝動軸１２を介して苗植付け装置４に伝達されるようになっている。
【００２０】
図２、図３に示すように、前記苗植付け装置４は、６条分の苗を載置して左右方向に設定ストロークで往復移動される苗のせ台１５、苗のせ台１５の下端から１株分ずつ苗を切り出して圃場に植付けてゆく６組の回転式の植付け機構１６、植付け箇所を整地する３個の整地フロート１７、ミッションケース１０から取り出された作業用動力が入力されるフィードケース１８、横長角筒状の植付けフレーム１９等を備えて構成されており、この植付けフレーム１９の左右中間部位に前記フィードケース１８が連結されるとともに、植付けフレーム１９の中央および左右箇所に後向き片持ち状に連結した３つの植付けケース２０の後部に前記植付け機構１６が左右２組ずつ装備されている。
【００２１】
図４に示すように、前記フィードケース１８の左右からは、苗のせ台１５を往復横送りするネジ軸２１と、苗のせ台１５に装備した苗送りベルト２２を横送りストロークエンド到達ごとに送り作動させる苗送り軸２３が突設されるとともに、植付け機構駆動用の出力軸２４が装備され、この出力軸２４と各植付けケース２０の基部に備えられた入力軸２５とが伝動軸２６を介して同芯に連動連結され、さらに、各植付けケース２０において、前記入力軸２５とケース後部に貫通支承した植付け駆動軸２７とがチェーン連動されている。また、入力軸２５にはトルクリミッタ２８が介在されて過大な負荷トルクの伝達が回避されるとともに、植付け駆動軸２７には任意に入り切り操作可能な畦際クラッチ２９が装備されて、６条の植付け機構１６うちの一部を２条単位で休止して４条植えあるいは２条植えなどの少数条植えが行えるようになっている。
【００２２】
前記施肥装置７は、運転座席１４と苗植付け装置４との間において走行機体３に搭載されており、粉粒状の肥料を貯留する肥料ホッパー３１、この肥料ホッパー３１内の肥料を所定量ずつ繰り出す繰出し機構３２、繰り出された肥料を供給ホース３３を介して苗植付装置４の各整地フロート１７に左右一対ずつ備えた作溝器３４に風力搬送する電動ブロワ３５、などを備えており、植付け苗の横側近傍において作溝器３４で田面に形成した施肥溝に肥料を送込んで埋設してゆくよう構成されている。
【００２３】
このように構成された苗植付け装置４には、前記整地フロート１７の前方において植付け直前の田面を砕土および均平化する整地用回転体４０が駆動回転可能に横架配備した整地装置を備えており、以下、この整地装置の構造について詳細に説明する。
【００２４】
図４、図５に示すように、前記植付けフレーム１９の一端には軸受けブラケット４１が連結され、この軸受けブラケット４１に貫通支架された整地用駆動軸４２と外側の植付けケース２０における入力軸２５とが同芯に突き合せ連結されるとともに、整地用駆動軸４２の外方突出部には伝動ケース４３が駆動軸軸芯ｐを中心にして上下揺動可能に装着されている。また、植付けフレーム１９の他端にもブラケット４４が連結され、このブラケット４４に前記駆動軸軸芯ｐを中心にして上下揺動可能な支持アーム４５が装着されている。そして、これら伝動ケース４３と支持アーム４５との遊端部間に亘って支架した回転支軸４６を介して前記整地用回転体４０が装着されている。
【００２５】
前記回転支軸４６は、伝動ケース４３および支持アーム４５の先端部に貫通支承された短い端部回転支軸４６ａ，４６ｂと、左右の端部回転支軸４６ａ，４６ｂの間に同芯に嵌合連結される長い角筒からなる中央回転支軸４６ｃとで構成されている。
【００２６】
そして、整地用駆動軸４２に備えられた駆動スプロケット４８と回転支軸４６ａに備えられた従動スプロケット４９とに亘ってチェーン５０が巻回張設されて、植付け機構駆動動力の一部で回転支軸４６が所定方向（ダウンカット方向）に回転駆動されるように構成されている。また、整地用駆動軸４２と駆動スプロケット４８との間にはトルクリミッタ５１が、また、回転支軸４６と従動スプロケット４９との間には回転支軸４６の先行回転を許容する一方向クラッチ５２が介在されており、整地用回転体４０の駆動系に過大な負荷が作用するのをトルクリミッタ５１によって防止するとともに、苗植付け装置４の駆動が停止されている状態で整地用回転体４０が接地駆動されて遊転回動することが一方向クラッチ５２によって許容されるようになっている。
【００２７】
整地用回転体４０は、軸芯方向小幅に形成した複数の単位回転体５５を回転軸芯方向に並列して所定の整地幅に構成されている。図６に示すように、単位回転体５５は、樹脂成形によって外周複数箇所の整地作用部５５ａと回転支軸４６に外嵌する四角形の中心孔５６を有するボス部５５ｂとをホイール部５５ｃで一体化して形成されたものであり、一種類の樹脂成形素材を利用しボス部５５ｂの長さの異なる二種類の単位回転体５５(L），５５(S)が構成されている。すなわち、樹脂成形素材は、図５に示すように、中間部に配置されるボス部５５ｂの長い仕様の単位回転体５５(L）と、ボス部５５ｂの一端部を欠除することでボス部５５ｂの短い仕様の単位回転体５５(S)とで構成されている。
【００２８】
各単位回転体５５は、回転支軸４６に複数装着して整地用回転体を構成する整地用ロータであって、単位回転体５５の回転軸芯方向におけるボス部５５ｂの長さを回転軸芯方向における整地作用部５５ａの長さよりも長くしてある。これにより、単位回転体５５を、ボス部５５ｂどうしが接当させて回転支軸４６に装着すると、隣接する整地作用部５５ａ，５５ａ間に隙間ｓが形成される。整地作用部５５ａの左右幅は回転方向上手側から下手側に亘って同幅で、隙間ｓは平行である。この隙間ｓを形成したことにより、泥水の後方への流れが改善されるとともに、隣接する整地作用部間に夾雑物が詰まるという不都合も軽減ないし解消され、作業後の手入れも楽に行えるようになった。
【００２９】
伝動ケース４３に貫通支持された端部回転支軸４６ａの左右には短ボス仕様の単位回転体５５(S)が外嵌装着されて頭付きピン５７で連結固定され、伝動ケース４３における軸受けボス部の左右両端が左右の単位回転体５５(S)のボス部５５ｂで挟まれることで、回転支軸４６全体の軸芯方向での位置決めがなされている。
【００３０】
このように位置決めされた回転支軸４６に長ボス仕様の単位回転体５５(L）とカラー５８を順次外嵌装着するとともに、支持アーム４５の外側に突出した端部回転支軸４６ｂに短ボス仕様の単位回転体５５(S)を外嵌装着し、所定の単位回転体５５を頭付きピン５９で回転支軸４６に連結することで所定の作用幅を有する整地用回転体４０が構成されている。
【００３１】
ここで、図３に示すように、整地用回転体４０の左右中央付近においては、中央の長いカラー５８とその左右の短いカラー５８が介在されることで、後輪２の後方に対応して広目の隙間を設けて泥流れ通路を形成してある。
【００３２】
図３，７に示すように、前記伝動ケース４３および支持アーム４５から上方に突設されたブラケット６１，６１ａに亘って左右に長いステー６２が架設されるとともに、植付けフレーム１９から立設した左右の苗のせ台支持フレーム６３に、ベルクランク６４が前後向き支点ａ周りに揺動可能にブラケット６５を介して枢着され、各ベルクランク６４と前記ステー６２の左右箇所とが吊り下げロッド６６で連結されている。また、左右のベルクランク６４が連係ロッドで６７連動連結されるとともに、一方のベルクランク６４から上方に向けて操作レバー６８が延出されており、この操作レバー６８を左右に操作することで左右のベルクランク６４を同方向に揺動し、伝動ケース４３および支持アーム４５を軸芯ｐ周りに上下に揺動移動させて、整地用回転体４０の高さを調節することができるようになっている。また、前記操作レバー６８は、ブラケット６５に連設したレバーガイド６９に複数操作位置で係止固定することで整地用回転体４０を所望の作用高さ位置に調節して固定することができるとともに、不要時には田面から浮上する非作業高さに退避させておくことができるようになっている。なお、前記ステー６２の左右箇所と左右のブラケット６５に亘って左右一対の引上げバネ７１が張設されて、操作レバー６８による持上げ操作荷重が軽減されるようになっている。
【００３３】
また、図７に示すように、前記ステー６２には伝動ケース４３と支持アーム４５の間の整地作用部に左右に長い泥跳ね防止カバー７２が当て板７３を介して取り付けられて、整地用回転体４０の後方に垂れ下がり配置されている。この泥跳ね防止カバー７２は弾性変形可能な樹脂製のシート材で構成されており、その基部付近が伝動ケース４３と支持アーム４５の側面に突設したピン状のガイド部材７４に係止されて、泥跳ね防止カバー７２が整地用回転体４０に接触して巻き込まれることが防止されるようになっている。
【００３４】
前記泥跳ね防止カバー７２は、自由状態において整地用回転体４０の下端付近まで垂れ下がる長さに設定されている。実際の植付け作業状態では、整地用回転体４０を田面に適当量沈み込ませるので、泥跳ね防止カバー７２は少しめくれ上げられて田面に追従接触し、整地用回転体４０による砕土跡を適度の押圧力で押え込んでその表面を均平化することになる。
【００３５】
伝動ケース４３と支持アーム４５の外側には、図１〜３及び図８に示すように、最外側の整地用単位回転体（整地用ロータ）５５の横外側に近接して整地用回転体５５の前方横外方への泥流れを抑制する泥流れ抑制部材７５を配設してある。この泥流れ抑制部材７５は、伝動ケース４３および支持アーム４５から上方に突設させてステー６２の端部に取付けたブラケット６１，６１ａに取り付けてある。泥流れ抑制部材７５の本体７５ａに対して前側の付設する金具７５ｂと後側に付設する泥押さえ金具７５ｃとをボルトナット７５ｄで着脱自在に取り付けられるように構成してある。これらの金具７５ｂ，７５ｃは泥土水の多いときに有効であり、後方の泥押さえ金具７５ｃを外したときは、横外方への泥押しをし難くするとともに後方へ泥を良好に逃がすことができる。又、本体７５ａに泥押さえ金具７５ｃをボルトナット７５ｄで固定すると後方への泥の逃がしに抵抗を与えるので整地性がよくなる。符号７６は、ボルトを挿通するための孔である。このボルト孔７６を前後に増設すれば、延長金具７５ｂや泥押さえ金具７５ｃの長さ調節をすることができる。
【００３６】
〔別実施の態様〕
上記実施の態様では、整地作用部５５ａの左右端面を平行に形成したが、図９に示すように、一つの整地用ロータ（単位回転体）５５の整地作用部５５ａの左右端面間の幅を整地用回転体４０の回転方向下手側ほど狭くして、単位回転体５５どうしの隣接する整地作用部５５ａ，５５ａ間の隙間ｓの幅が回転方向下手側ほど広くなるように構成しもよい。
このようにすると、隙間ｓに入った夾雑物が抵抗なく通り抜けることができ、詰まりを生じさせることを極力回避できる。
【００３７】
又、上記隙間ｓを形成するに当たって、一つの整地用ロータ（単位回転体）５５の整地作用部５５ａの左右端面間の幅を整地用回転体４０の回転方向下手側ほど、且つ整地用回転体４０の半径方向外方側ほど狭くなるように形成して、単位回転体５５どうしの隣接する整地作用部５５ａ，５５ａ間の隙間ｓの幅が回転方向下手側ほど、且つ整地用回転体４０の半径方向外方側ほど広くなるように構成しもよい。
【００３８】
上記実施の態様では、整地用回転体４０による後方への泥跳ねを泥跳ね防止カバー７２で防止するようにしたものであるが、泥跳ね防止カバー７２を省略して、整地フロート１７を、図１０、図１１に示すように、整地用回転体４０の上方に覆い被さるような構造にしてもよい。このように構成すれば、整地フロート７７の前部が泥跳ね防止カバーを兼ね、フロートの本体部７７ａとカバー部７７ｂとが同一の動きをするので、フロート上面への泥の乗り上げが少なくなる。
【図面の簡単な説明】
【００３９】
【図１】田植機の全体側面図
【図２】苗植付け装置の側面図
【図３】苗植付け装置の背面図
【図４】苗植付け装置の伝動構造を示す平面図
【図５】整地用回転体の詳細を示す横断平面図
【図６】整地用回転体の外観斜視図
【図７】整地用回転体の縦断側面図
【図８】泥流れ抑制部材の分解斜視図
【図９】整地用回転体の隣接関係を示す斜視図
【図１０】整地フロートの別実施の態様を示す側面図
【図１１】整地フロートの別実施の態様を示す平面図
【符号の説明】
【００４０】
４０        整地用回転体
４６        回転支軸
５５        単位回転体
５５ａ      整地作用部
５５ｂ      ボス部
ｓ          隙間
【図１】
2010004749.tif 000003
【図２】
2010004749.tif 000004
【図３】
2010004749.tif 000005
【図４】
2010004749.tif 000006
【図５】
2010004749.tif 000007
【図６】
2010004749.tif 000008
【図７】
2010004749.tif 000009
【図８】
2010004749.tif 000010
【図９】
2010004749.tif 000011
【図１０】
2010004749.tif 000012
【図１１】
2010004749.tif 000013